(57)【要約】【課題】複数の熱交換器が配置された空気調和装置の室外機において、ドレン水が底板に貯まることを抑制する。【解決手段】第１熱交換器（11）および第２熱交換器（12）を、それぞれの内側熱交換部（17,18）が互いに向かい合うように配置して、ケーシング（3）に、第１熱交換器（11）の内側熱交換部（17）と第２熱交換器（12）の内側熱交換部（18）との間から底板（5）の下方へドレン水を排出する中間排水開口（68）を形成する。【選択図】図２
2019132545.tif 000002
【特許請求の範囲】
【請求項１】
底板（5）を有するケーシング（3）と、上記ケーシング（3）内に収容された第１熱交換器（11）および第２熱交換器（12）とを備える空気調和装置の室外機であって、
上記第１熱交換器（11）および上記第２熱交換器（12）のそれぞれは、
上記底板（5）の外周縁に沿うように配置された外周熱交換部（14,15）と、
上記外周熱交換部（14,15）から上記ケーシング（3）の内側へ延びる内側熱交換部（17,18）とを備え、
上記第１熱交換器（11）および上記第２熱交換器（12）は、それぞれの上記内側熱交換部（17,18）が互いに向かい合うように配置され、
上記ケーシング（3）には、上記第１熱交換器（11）の上記内側熱交換部（17）と上記第２熱交換器（12）の上記内側熱交換部（18）との間から上記底板（5）の下方へドレン水を排出する中間排水開口（68）が形成されていることを特徴とする空気調和装置の室外機。
【請求項２】
請求項１において、
上記中間排水開口（68）は、上記底板（5）を貫通しかつ上記内側熱交換部（17,18）に沿う方向に延びる長孔状のドレン排出孔（68）であり、上記内側熱交換部（17,18）に沿う方向に並んで複数形成されていることを特徴とする空気調和装置の室外機。
【請求項３】
請求項１又は２において、
上記底板（5）は、上記第１熱交換器（11）の下方に位置する第１底板部材（61）と、上記第２熱交換器（12）の下方に位置する第２底板部材（62）とに分割されており、
上記第１底板部材（61）と上記第２底板部材（62）との一方にだけ上記中間排水開口（68）が形成されていることを特徴とする空気調和装置の室外機。
【請求項４】
請求項１において、
上記底板（5）は、上記第１熱交換器（11）の下方に位置する第１底板部材（61）と、上記第２熱交換器（12）の下方に位置する第２底板部材（62）とに分割されており、
上記第１底板部材（61）と上記第２底板部材（62）とは、互いに間隔を空けて配置され、
上記中間排水開口（68）は、上記第１底板部材（61）と上記第２底板部材（62）との隙間によって構成されていることを特徴とする空気調和装置の室外機。
【請求項５】
請求項１から４の何れか１つにおいて、
上記底板（5）には、複数の山部（51）と複数の谷部（52）とが交互に形成されていることを特徴とする空気調和装置の室外機。
【請求項６】
請求項５において、
上記第１熱交換器（11）の上記内側熱交換部（17）および上記第２熱交換器（12）の上記内側熱交換部（18）は、上記山部（51）に支持され、
上記中間排水開口（68）は、上記谷部（52）に形成されていることを特徴とする空気調和装置の室外機。
【請求項７】
請求項６において、
上記山部（51）および上記谷部（52）は、上記内側熱交換部（17,18）に沿う方向に延びていることを特徴とする空気調和装置の室外機。
【発明の詳細な説明】
【技術分野】
【０００１】
本開示は、空気調和装置の室外機に関するものである。
【背景技術】
【０００２】
従来より、特許文献１のように、ケーシング内に２つの熱交換器が隙間を空けて対向して配置されている空気調和装置の室外機が知られている。
【先行技術文献】
【特許文献】
【０００３】
【特許文献１】特開２０１６−１８０５４４号公報
【発明の概要】
【発明が解決しようとする課題】
【０００４】
特許文献１のような空気調和装置の室外機では、暖房運転中に熱交換器に霜が付着する。付着した霜を溶かすために除霜運転を行うと、霜が溶けてできたドレン水が熱交換器から流れ落ちる。特に、底板における２つの熱交換器の間に位置する部分には、それぞれの熱交換器から発生するドレン水が流れ落ちる。このため、この部分には、他の部分に比べて多量のドレン水が流れる。ドレン水が十分に排出されずに暖房運転が開始されると、排出されずに貯まったドレン水が再凍結してしまうおそれがある。この現象が繰り返されると、ケーシング内に凍結したドレン水が蓄積され、故障の原因となるおそれがある。
【０００５】
本開示の目的は、複数の熱交換器が配置された空気調和装置の室外機において、ドレン水を十分に排出させて、ドレン水が底板に貯まることを抑制することにある。
【課題を解決するための手段】
【０００６】
本開示の第１の態様は、底板（5）を有するケーシング（3）と、上記ケーシング（3）内に収容された第１熱交換器（11）および第２熱交換器（12）とを備える空気調和装置の室外機であって、上記第１熱交換器（11）および上記第２熱交換器（12）のそれぞれは、上記底板（5）の外周縁に沿うように配置された外周熱交換部（14,15）と、上記外周熱交換部（14,15）から上記ケーシング（3）の内側へ延びる内側熱交換部（17,18）とを備え、上記第１熱交換器（11）および上記第２熱交換器（12）は、それぞれの上記内側熱交換部（17,18）が互いに向かい合うように配置され、上記ケーシング（3）には、上記第１熱交換器（11）の上記内側熱交換部（17）と上記第２熱交換器（12）の上記内側熱交換部（18）との間から上記底板（5）の下方へドレン水を排出する中間排水開口（68）が形成されていることを特徴とする。
【０００７】
第１の態様では、第１熱交換器（11）と第２熱交換器（12）との間において、ドレン水を排出しやすくなる。このため、底板（5）にドレン水が貯まることを抑制することができる。
【０００８】
本開示の第２の態様は、第１の態様において、上記中間排水開口（68）は、上記底板（5）を貫通しかつ上記内側熱交換部（17,18）に沿う方向に延びる長孔状のドレン排出孔（68）であり、上記内側熱交換部（17,18）に沿う方向に並んで複数形成されていることを特徴とする。
【０００９】
第２の態様では、中間排水開口（68）を容易に設けることができる。また、第１熱交換器（11）と第２熱交換器（12）との間において、さらにドレン水を排出しやすくすることができる。
【００１０】
本開示の第３の態様は、第１又は第２の態様において、上記底板（5）は、上記第１熱交換器（11）の下方に位置する第１底板部材（61）と、上記第２熱交換器（12）の下方に位置する第２底板部材（62）とに分割されており、上記第１底板部材（61）と上記第２底板部材（62）との一方にだけ上記中間排水開口（68）が形成されていることを特徴とする。
【００１１】
第３の態様では、底板（5）を複数の部材に分けることで部材の大型化を抑えながら、中間排水開口（68）を設けることができる。
【００１２】
本開示の第４の態様は、第１の態様において、上記底板（5）は、上記第１熱交換器（11）の下方に位置する第１底板部材（61）と、上記第２熱交換器（12）の下方に位置する第２底板部材（62）とに分割されており、上記第１底板部材（61）と上記第２底板部材（62）とは、互いに間隔を空けて配置され、上記中間排水開口（68）は、上記第１底板部材（61）と上記第２底板部材（62）との隙間によって構成されていることを特徴とする。
【００１３】
第４の態様では、底板（5）を複数の部材に分けることで部材の大型化を抑えながら、中間排水開口（68）を設けることができる。
【００１４】
本開示の第５の態様は、第１〜第４の態様において、上記底板（5）には、複数の山部（51）と複数の谷部（52）とが交互に形成されていることを特徴とする。
【００１５】
第５の態様では、底板（5）を波板形状にすることができる。このため、底板（5）の強度を上げることができる。
【００１６】
本開示の第６の態様は、第１〜第５の態様において、上記第１熱交換器（11）の上記内側熱交換部（17）および上記第２熱交換器（12）の上記内側熱交換部（18）は、上記山部（51）に支持され、上記中間排水開口（68）は、上記谷部（52）に形成されていることを特徴とする。
【００１７】
第６の態様では、第１熱交換器（11）および第２熱交換器（12）から発生したドレン水が中間排水開口（68）へ落下しやすくなる。このため、さらに、底板（5）においてドレン水を排出しやすくすることができる。
【００１８】
本開示の第７の態様は、第６の態様において、上記山部（51）および上記谷部（52）は、上記内側熱交換部（17,18）に沿う方向に延びていることを特徴とする。
【００１９】
第７の態様では、第１熱交換器（11）および第２熱交換器（12）を安定して支持することができる。
【図面の簡単な説明】
【００２０】
【図１】図１は、実施形態に係る空気調和装置の室外機の斜視図である。
【図２】図２は、底板および据付脚を示す概略平面図である。
【図３】図３は、底板を示す概略正面図である。
【発明を実施するための形態】
【００２１】
《実施形態》
実施形態について説明する。本実施形態は、空気調和装置の室外機（2）である。本実施形態の室外機（2）が設けられる空気調和装置は、オフィス等の室内空間の冷房と暖房を行う。なお、空気調和装置が空気調和を行う対象空間は、オフィスや住宅などの居室内空間に限られず、物品を保管する倉庫内の空間や、物品を取り扱う作業用空間（例えば、クリーンルーム）などであってもよい。
【００２２】
−室外機の構成−
室外機（2）の構成について説明する。なお、以下の説明において、「上」、「下」、「左」、「右」、「前」および「後」、は、特にことわりのない限り、図１に記載された方向を意味する。
【００２３】
図１に示すように、本実施形態の空気調和装置の室外機（2）は、略直方体形状に形成されている。室外機（2）は、側方から空気を取り込んで上方へ空気を吹き出す上吹き型の室外機（2）である。
【００２４】
室外機（2）は、図２に示すように、ケーシング（3）内に第１熱交換器（11）、第２熱交換器（12）、第１圧縮機（21）、第２圧縮機（22）、第１電装品箱（23）、第２電装品箱（24）、第１油分離器（25）、第２油分離器（26）、およびアキュムレータ（27）を主として備えている。第１熱交換器（11）、第１圧縮機（21）、第１電装品箱（23）、第１油分離器（25）およびアキュムレータ（27）は、ケーシング（3）内の右側に配置されている。一方、第２熱交換器（12）、第２圧縮機（22）、第２電装品箱および第２油分離器（26）は、ケーシング（3）内の左側に配置されている。
【００２５】
〈ケーシング〉
図１〜図３に示すように、ケーシング（3）は、据付脚（4）と、底板（5）と、支柱（7）と、ファンモジュール（8）と、前面パネル（9）とを備えている。
【００２６】
据付脚（4）は、ケーシング（3）の下端部に設けられている。据付脚（4）は、ケーシング（3）の前端および後端にそれぞれ設けられかつ左右方向に延びる一対の部材である。
【００２７】
底板（5）は、一対の据付脚（4）上に架け渡されてケーシング（3）の底面を形成している。底板（5）は、複数の山部（51）と複数の谷部（52）とが左右方向に交互に形成されている波板形状を成している。底板（5）の詳細については後述する。
【００２８】
支柱（7）は、第１支柱（7a）と第２支柱（7b）とからなる。第１支柱（7a）は、底板（5）の角部位置から鉛直方向に延びている。すなわち、第１支柱（7a）は４つ設けられている。第２支柱（7b）は、一対の据付脚（4）の左右方向の中央の左寄りの位置から鉛直方向に延びている。すなわち、第２支柱（7b）は２つ設けられている。
【００２９】
ファンモジュール（8）は、ケーシング（3）の上部を形成している。ファンモジュール（8）は、支柱（7）の上側に位置している。ファンモジュール（8）は、上面および下面が開口した略直方体形状の箱体である。ファンモジュール（8）は、上面および下面が開口することにより、上方へ向かう空気が通る空気通路の一部を形成している。ファンモジュール（8）の前後左右の面は板金によって覆われている。特に、ファンモジュール（8）の前面は、後述する前面パネル（9）に覆われている。ファンモジュール（8）は、内部に左右一対のファン（81）やベルマウス（82）を有している。ファンモジュール（8）は、上面の開口に吹出グリル（83）を備えている。
【００３０】
前面パネル（9）は、ケーシング（3）の前面を形成している。前面パネル（9）は、左右方向に４つに分割されている。前面パネル（9）は、ケーシング（3）の上端部から下端部に亘って設けられている。
【００３１】
〈熱交換器〉
室外機（2）は、熱交換器として第１熱交換器（11）と第２熱交換器（12）とを備えている。第１熱交換器（11）および第２熱交換器（12）は、多数の伝熱管とフィンとを備えている。伝熱管は、いわゆる扁平管であって、上下方向に一定の間隔で配置される。フィンは、起立した板状に形成され、伝熱管の軸方向に一定の間隔で配置される。伝熱管およびフィンの材質は、いずれもアルミニウム合金である。第１熱交換器（11）および第２熱交換器（12）は、扁平管が２列に配列された複数列型の熱交換器である。また、第１熱交換器（11）および第２熱交換器（12）は、それぞれ外側面から内側面へ向かって空気が通過するように形成されている。
【００３２】
上述したように、第１熱交換器（11）は、ケーシング（3）内の右側に配置されている。具体的には、第１熱交換器（11）は、第２支柱（7b）よりも右側に位置している。
【００３３】
図２に示すように、第１熱交換器（11）は、上面視略Ｕ字形状に曲がるように形成されている。第１熱交換器（11）は、右側の端部が底板（5）の前端部に位置している。一方、第１熱交換器（11）は、左側の端部が底板（5）の前後方向中間部の前寄りの位置に位置している。第１熱交換器（11）は、上記右側の端部を有する外周熱交換部としての第１外周熱交換部（14）と、上記左側の端部を有する内側熱交換部としての第１内側熱交換部（17）とからなる。
【００３４】
第１外周熱交換部（14）は、底板（5）の外周縁に沿うように配置されている。具体的には、第１外周熱交換部（14）は、第１熱交換器（11）のうち底板（5）の右端縁に沿う右面部（14a）および右側の後端縁に沿う第１後面部（14b）を備えるように曲げられている。すなわち、第１外周熱交換部（14）は、ケーシング（3）の外部に面している。右面部（14a）は、後述する右側のサイドステー（55）に支持されている。第１後面部（14b）は、据付脚（4）と底板（5）とに支持されている。
【００３５】
第１内側熱交換部（17）は、第１外周熱交換部（14）からケーシング（3）の内側へ延びるように連続して形成されている。第１内側熱交換部（17）は、第１後面部（14b）の左側端部から前方に向かって曲げられて形成されている。すなわち、第１内側熱交換部（17）は、第１外周熱交換部（14）の右面部（14a）と対向している。図１にも示すように、第１内側熱交換部（17）は、第２支柱（7b）の右寄りの位置に位置している。第１内側熱交換部（17）は、後述する第２底板部材（62）に支持されている。
【００３６】
上述したように、第２熱交換器（12）は、ケーシング（3）内の左側に配置されている。具体的には、第２熱交換器（12）は、第２支柱（7b）よりも左側に位置している。
【００３７】
図２に示すように、第２熱交換器（12）は、上面視略Ｕ字形状に曲がるように形成されている。第２熱交換器（12）は、左側の端部が底板（5）の前端部に位置している。一方、第２熱交換器（12）は、右側の端部が底板（5）の前後方向中間部の前寄りの位置に位置している。第２熱交換器（12）は、上記左側の端部を有する外周熱交換部としての第２外周熱交換部（15）と、上記右側の端部を有する内側熱交換部としての第２内側熱交換部（18）とからなる。
【００３８】
第２外周熱交換部（15）は、底板（5）の外周縁に沿うように配置されている。具体的には、第２外周熱交換部（15）は、第２熱交換器（12）のうち底板（5）の左端縁に沿う左面部（15a）および左側の後端縁に沿う第２後面部（15b）とを備えるように曲げられている。すなわち、第２外周熱交換部（15）は、ケーシング（3）の外部に面している。左面部（15a）は、後述する左側のサイドステー（55）に支持されている。第２後面部（15b）は、据付脚（4）と底板（5）とに支持されている。
【００３９】
第２内側熱交換部（18）は、第２外周熱交換部（15）からケーシング（3）の内側へ延びるように連続して形成されている。第２内側熱交換部（18）は、第２後面部（15b）の右側端部から前方に向かって曲げられて形成されている。すなわち、第２内側熱交換部（18）は、第２外周熱交換部（15）の左面部（15a）と対向している。図１にも示すように、第２内側熱交換部（18）は、第２支柱（7b）の左寄りの位置に位置している。第２内側熱交換部（18）は、後述する第２底板部材（62）に支持されている。
【００４０】
このような構成により、第１熱交換器（11）および第２熱交換器（12）は、ケーシング（3）内の左右方向の中央付近でそれぞれの内側熱交換部（17,18）の前面（外側面）が互いに向かい合うように配置されている。
【００４１】
−底板の詳細−
底板（5）は、大部分を形成する底板本体（60）と、左右方向両端部を形成する一対のサイドステー（55）とを備えている。
【００４２】
サイドステー（55）は、底板（5）の左端および右端にそれぞれ設けられている。サイドステー（55）は、一対の据付脚（4）の左右方向両端部に架け渡されて配置されている。サイドステー（55）は、ケーシング（3）の底面を構成する底面部と前後方向両端部に形成され、上方に向かって延びる耳部とを備えている。
【００４３】
右側のサイドステー（55）の底面部には、第１外周熱交換部（14）の右面部（14a）が載置されている。右側のサイドステー（55）の底面部には、前後方向に延びる長孔状の貫通孔が前後方向に複数並んで形成されている。
【００４４】
左側のサイドステー（55）の底面部には、第２外周熱交換部（15）の左面部（15a）が載置されている。左側のサイドステー（55）の底面部には、前後方向に延びる長孔状の貫通孔が前後方向に複数並んで形成されている。
【００４５】
〈底板本体〉
底板本体（60）は、ケーシング（3）の底面の大部分を形成している。底板本体（60）は、一対のサイドステー（55）およびの一対の据付脚（4）の間に設けられている。底板本体（60）は、それぞれ前後方向に延びる複数の山部（51）と複数の谷部（52）とを備えている。山部（51）および谷部（52）は、左右方向に交互に並んで形成されている。すなわち、各山部（51）および谷部（52）は、第１内側熱交換部（17）および第２内側熱交換部（18）に沿う方向に延びている。そして、第１内側熱交換部（17）および第２内側熱交換部（18）は、底板本体（60）の山部（51）の上に載置されて支持されている。
【００４６】
底板本体（60）は、左から順に、第２底板部材（62）、第１底板部材（61）、第３底板部材（63）に分割されている。
【００４７】
第２底板部材（62）は、底板本体（60）の左端から第２支柱（7b）に対応する部分の右寄りの位置までを形成している。第２底板部材（62）は、一対の据付脚（4）に連結されている。第２底板部材（62）の上方には、第２熱交換器（12）が位置している。また、第１熱交換器（11）の第１内側熱交換部（17）も第２底板部材（62）の上方に位置している。
【００４８】
第２底板部材（62）における底板本体（60）の左右方向の中央部付近に対応する位置には、中間部（65）が形成されている。中間部（65）は、第１内側熱交換部（17）と第２内側熱交換部（18）との間に位置している。中間部（65）は、第２底板部材（62）の谷部（52）のうちの１つである中間谷部（66）を含んでいる。中間谷部（66）には、ドレン水を底板（5）の下方へ排出する中間排水開口としてのドレン排出孔（68）が形成されている。ドレン排出孔（68）は、第２底板部材（62）を貫通しかつ前後方向に延びる長孔である。ドレン排出孔（68）は、前後方向に並んで複数形成されている。
【００４９】
中間谷部（66）の右隣に形成された山部（51）には、第１内側熱交換部（17）が載置されている。一方、中間谷部（66）の左隣に形成された山部（51）には、第２内側熱交換部（18）が載置されている。すなわち、第１内側熱交換部（17）および第２熱内側熱交換部は、第２底板部材（62）の山部（51）に支持されている。
【００５０】
第１底板部材（61）は、第２支柱（7b）の右寄りの位置から第１熱交換器（11）の左右方向中間部の右寄りの位置までを形成している。第１底板部材（61）は、一対の据付脚（4）に連結されている。第１底板部材（61）の上方には、第１熱交換器（11）が位置している。
【００５１】
第３底板部材（63）は、第１熱交換器（11）の左右方向中間部の右寄りの位置から底板本体（60）の右端までを形成している。第３底板部材（63）は、一対の据付脚（4）に連結されている。第３底板部材（63）の上方には、第１熱交換器（11）が位置している。
【００５２】
−実施形態１の効果−
本実施形態の空気調和装置の室外機（2）は、底板（5）を有するケーシング（3）と、ケーシング（3）内に収容された第１熱交換器（11）および第２熱交換器（12）とを備える。第１熱交換器（11）は、底板（5）の右端縁および右側の後端縁に沿うように配置された第１外周熱交換部（14）と、第１外周熱交換部（14）の左端からケーシング（3）の内側へ延びる第１内側熱交換部（17）とを備え、第２熱交換器（12）は、底板（5）の左端縁および左側の後端縁に沿うように配置された第２外周熱交換部（15）と、第２外周熱交換部（15）の右端からケーシング（3）の内側へ延びる第２内側熱交換部（18）とを備え、第１熱交換器（11）および第２熱交換器（12）は、それぞれの第１内側熱交換部（17）と第２内側熱交換部（18）とが互いに向かい合うように配置され、底板本体（60）には、第１内側熱交換部（17）と第２内側熱交換部（18）との間から底板（5）の下方へドレン水を排出する中間排水開口としてのドレン排出孔（68）が形成されている。
【００５３】
本実施形態では、中間部（65）には、第１内側熱交換部（17）および第２内側熱交換部（18）のドレン水が落下して、底板（5）における他の部分に比べて多量のドレン水が流れる。この中間部（65）にドレン排出孔（68）が形成されているので、第１内側熱交換部（17）および第２内側熱交換部（18）の下方でドレン水を排出しやすくなる。このため、中間部（65）でドレン水が貯まることを抑制することができる。
【００５４】
また、本実施形態の空気調和装置の室外機（2）において、中間排水開口（68）は、底板本体（60）を貫通しかつ前後方向である第１内側熱交換部（17）および第２内側熱交換部（18）に沿う方向に延びる長孔状のドレン排出孔（68）であり、前後方向に並んで複数形成されている。
【００５５】
本実施形態では、中間排水開口（68）を貫通孔にすることで、中間排水開口（68）を容易に設けることができる。また、中間部（65）の広い範囲にドレン排出孔（68）が形成される。このため、中間部（65）において、さらにドレン水を排出しやすくすることができる。
【００５６】
また、本実施形態の空気調和装置の室外機（2）において、底板本体（60）は、第１熱交換器（11）の下方に位置する第１底板部材（61）と、第２熱交換器（12）の下方に位置する第２底板部材（62）とに分割されており、中間部（65）は、第２底板部材（62）にだけ形成されている。
【００５７】
本実施形態では、底板本体（60）を複数の部材に分けることで部材の大型化を抑えながら、中間部（65）にドレン排出孔（68）を設けることができる。
【００５８】
また、本実施形態の空気調和装置の室外機（2）において、底板（5）の底板本体（60）には、複数の山部（51）と複数の谷部（52）とが交互に形成されている。
【００５９】
本実施形態では、底板本体（60）を波板形状にすることができる。このため、底板本体（60）の強度を上げることができる。したがって、ドレン排出孔（68）になる貫通孔を広い範囲に設けても、底板本体（60）の強度を担保することができる。
【００６０】
また、本実施形態の空気調和装置の室外機（2）において、第１内側熱交換部（17）および第２内側熱交換部（18）は、中間谷部（66）と互いに隣接する山部（51）に支持され、ドレン排出孔（68）は、中間谷部（66）に形成されている。
【００６１】
本実施形態では、第１熱交換器（11）および第２熱交換器（12）から発生したドレン水が山部（51）に落下した後、中間谷部（66）に流れやすくなる。このため、ドレン水がドレン排出孔（68）へ流れやすくなる。したがって、さらに、中間部（65）においてドレン水を排出しやすくすることができる。
【００６２】
また、本実施形態の空気調和装置の室外機（2）において、山部（51）および谷部（52）は、第１内側熱交換部（17）および第２内側熱交換部（18）に沿う方向に延びている。
【００６３】
本実施形態では、第１熱交換器（11）および第２熱交換器（12）を安定して支持することができる。
【００６４】
《その他の実施形態》
上記実施形態については、以下のような構成としてもよい。
【００６５】
上記実施形態の空気調和装置の室外機（2）において、第１内側熱交換部（17）は、第１底板部材（61）に、第２内側熱交換部（18）は、第２底板部材（62）に支持されるようにしてもよい。このとき、第１底板部材（61）と第２底板部材（62）とは、左右方向に互いに間隔を空けて配置してもよい。すなわち、中間部（65）は、第１底板部材（61）と第２底板部材（62）とに亘って形成される。また、中間排水開口（68）は、第１底板部材（61）と第２底板部材（62）との間の隙間になる。具体的には、中間排水開口（68）は、例えば、幅１０ｍｍ程度のスリット状の隙間である。
【００６６】
この形態では、底板（5）を複数の部材に分けることで部材の大型化を抑えながら、中間排水開口（68）を設けることができる。また、底板本体（60）に貫通孔を形成する工程を要することなく、容易に中間排水開口（68）を設けることができる。
【００６７】
また、上記実施形態では、第１熱交換器（11）および第２熱交換器（12）は、扁平管が２列に配列された複数列型の熱交換器としたが、これに限定されない。第１熱交換器（11）および第２熱交換器（12）は、扁平管が１列に配列された熱交換器でもよく、扁平管が３列以上配列された熱交換器でもよい。また、第１熱交換器（11）および第２熱交換器（12）の形態は適宜変更されてよい。
【００６８】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００６９】
以上説明したように、本開示は、空気調和装置の室外機について有用である。
【符号の説明】
【００７０】
2  室外機
3  ケーシング
5  底板
11  第１熱交換器
12  第２熱交換器
14  第１外周熱交換部（外周熱交換部）
15  第２外周熱交換部（外周熱交換部）
17  第１内側熱交換部（内側熱交換部）
18  第２内側熱交換部（内側熱交換部）
51  山部
52  谷部
61  第１底板部材
62  第２底板部材
68  ドレン排出孔（中間排水開口）
【図１】
2019132545.tif 000003
【図２】
2019132545.tif 000004
【図３】
2019132545.tif 000005